(57)【要約】【課題】ＨＤＤを記録媒体とする映像記録再生装置を内蔵するテレビにおいて、ＨＤＤの起動遅れによる再生時の操作性を損なうことなく、消費電力を低減する方法が望まれる。【解決手段】録画済番組のリストを作成するための番組情報を、ＨＤＤではなくフラッシュメモリに格納する。記録、再生、消去の動作を行わない場合には、ＨＤＤの電源を切断して消費電力を低減する。ユーザが録画済番組の再生を行う際は、まずフラッシュメモリから番組情報を読み出してリストを表示し、ユーザが再生する録画済番組を選んでいる間に、ＨＤＤに電源を供給して起動できるようにし、電力低減に伴って操作性を低下させないようにする。【選択図】図１
2010192051.tif 000002
【特許請求の範囲】
【請求項１】
映像コンテンツと該映像コンテンツに関わる番組情報を含むテレビ放送を受信し、内蔵する映像記録再生装置に前記映像コンテンツを記録し、前記受信した前記テレビ放送を映像表示し、前記映像信号記録再生装置から再生された映像コンテンツを映像表示する映像記録再生装置内蔵テレビであって、
電力を供給する電源と、
該電源より常時電力を供給される制御部と、
該制御部からの制御信号に基づいて、前記テレビ放送を受信する受信部と、前記受信したテレビ放送を映像表示し、また前記映像記録再生装置から再生された前記映像コンテンツを映像表示する表示部と、前記映像記録再生装置に記録された前記映像コンテンツに関わる番組情報を選択して格納する不揮発性記録媒体とを含む受信表示部と、
前記制御部からの制御信号に基づいて、前記受信部で受信され選択された前記映像コンテンツを記録し、またこれを再生する記録再生部と、
前記制御部からの制御信号に基づいて、前記受信表示部に対する前記電源からの電力供給を制御する第１の電力制御部と、
前記制御部からの制御信号に基づいて、前記記録再生部に対する前記電源からの電力供給を制御する第２の電力制御部とを有し、
前記制御部は、
前記表示部に映像表示する場合には、前記受信表示部に対して前記電源からの電力を供給するよう前記第１の電力制御部を制御し、
前記映像記録再生装置から前記映像コンテンツを再生する場合には、前記不揮発性記録媒体に格納した番組情報に基づく前記映像コンテンツのリストを前記表示部に表示し、前記記録再生部に対して前記電源からの電力を供給するよう前記第２の電力制御部を制御し、
前記映像コンテンツの再生が終了した場合には、前記記録再生部に対する前記電源からの電力を停止するよう前記第２の電力制御部を制御することを特徴とする映像記録再生装置内蔵テレビ。
【請求項２】
請求項１に記載の映像記録再生装置内蔵テレビにおいて、前記不揮発性記録媒体は不揮発性の半導体メモリであることを特徴とする映像記録再生装置内蔵テレビ。
【請求項３】
請求項１に記載の映像記録再生装置内蔵テレビにおいて、前記記録再生部の記録媒体はハードディスクメモリであることを特徴とする映像記録再生装置内蔵テレビ。
【請求項４】
請求項１に記載の映像記録再生装置内蔵テレビにおいて、前記第１および第２の電力制御部はスイッチャーであることを特徴とする映像記録再生装置内蔵テレビ。
【請求項５】
映像コンテンツと該映像コンテンツに関わる番組情報を含むテレビ放送を受信し、前記映像コンテンツを内蔵する映像記録再生装置に記録し、記録した前記映像コンテンツに関わる番組情報を不揮発性の記録媒体に格納し、また受信した前記テレビ放送を映像表示し、前記映像信号記録再生装置から再生された映像コンテンツを映像表示する映像記録再生装置内蔵テレビの映像再生方法であって、
前記テレビのユーザによる第１の指令に応じて、前記記録媒体に記録された番組情報に基づく前記映像記録再生装置の録画済番組のリストを表示する表示ステップと、
該表示ステップで表示された前記リストに基づくユーザの第２の指令に応じて、前記映像記録再生装置から再生する映像コンテンツを決定する決定ステップと、
前記第１の指令に応じて前記記録再生装置に電力を供給し、これを起動する起動ステップと、
前記記録再生装置の起動が完了したか否かを判定する起動完了判定ステップと、
該判定ステップでの判定結果に基づき、前記第２の指令に応じた映像コンテンツを前記記録再生装置から再生する再生ステップと、
該再生ステップでの前記映像コンテンツの再生が終了し、ないし前記ユーザが再生の停止を要求する第３の指令があったかを判定する再生停止判定ステップと、
該再生停止判定ステップでの判定の結果、前記映像コンテンツの再生が終了し、ないし前記第３の指令があった場合には前記記録再生装置の再生動作を停止する再生停止ステップと、
前記再生停止の後に前記記録再生装置への電力供給を停止する電力供給停止ステップとを有したことを特徴とする映像記録再生装置内蔵テレビの映像再生方法。
【発明の詳細な説明】
【技術分野】
【０００１】
本発明は映像記録再生装置内蔵テレビ、および映像記録再生装置内蔵テレビの映像再生方法に係わり、特に操作性を損なうことなく電力を低減する映像記録再生装置内蔵テレビ、および映像記録再生装置内蔵テレビの映像再生方法に関するものである。
【背景技術】
【０００２】
ＨＤＤ（Hard Disk Drive）を有する映像記録再生装置を内蔵したテレビジョンが広く知られている。ＥＰＧ（Electronic Program Guide）と連携して放送番組の録画や視聴、また録画済番組のタイムシフト再生ができ、別々に構成されたテレビジョンと映像記録再生装置をケーブル接続して使用する場合に比べ、ユーザによる初期設定、配線、操作などが簡単になるという特徴がある。このようなテレビジョンでは電源を入れた際に、ＨＤＤの使用状況を把握するために、空きセクタ情報を示すビットマップデータをＨＤＤから読込む動作をする。この動作が終了した後に、ＨＤＤは映像信号の記録再生をできるようになる。放送番組の記録や再生をしたいユーザは現在の放送を視聴しながら、それを待つことになる。
特許文献１においては、前記ビットマップデータの読取り中であっても、再生動作を行うことが開示されている。特許文献２においては、前記ビットマップデータの有効性を示すフラグを設けることで、記録再生ができるまでの時間を早める技術が開示されている。
【先行技術文献】
【特許文献】
【０００３】
【特許文献１】特開２００８−１９８３１２号公報
【特許文献２】特開２００８−２１７８８４号公報
【発明の概要】
【発明が解決しようとする課題】
【０００４】
従来の映像記録再生装置内蔵のテレビは電源を投入するとＨＤＤも起動されて、たとえばＨＤＤの容量が２５０ＧＢであれば３０秒から１分程度の時間を用いて、前記したようなビットマップデータによる空きセクタ情報、あるいは記録済コンテンツの番組情報などをＨＤＤから読み出して初期設定がなされる。その後は記録再生動作をしない場合であっても、そのまま通電状態とされていた。記録再生動作時に比べてディスクの回転数を低減するなどの省電力状態とし、消費電流に対する配慮が行われてはいたが、それでもたとえば２〜３Ｗ程度とかなりの電力を消費していた。
【０００５】
これはユーザが映像の再生を要求した場合に、すぐに対応する必要があるためである。すなわち電源を投入した際の前記した初期設定時には、記録済コンテンツを記録した日時、放送局、サムネール映像などの番組情報を、ＨＤＤから読取って半導体メモリに記録することで、いつでも再生用のリストを表示できるようにし、また再生するコンテンツが選択された際には、即再生動作ができるようにしていた。しかし、エネルギー資源の有効活用の観点からみて、いっそうの消費電力低減を行うことが望ましい。
【０００６】
本発明の目的はこれらの課題に鑑み、操作性を損なうことなく電力を低減する映像記録再生装置内蔵テレビ、および映像記録再生装置内蔵テレビの映像再生方法を提供することにある。
【課題を解決するための手段】
【０００７】
上記目的を達成するため本発明は、映像コンテンツと該映像コンテンツに関わる番組情報を含むテレビ放送を受信し、内蔵する映像記録再生装置に前記映像コンテンツを記録し、前記受信した前記テレビ放送を映像表示し、前記映像信号記録再生装置から再生された映像コンテンツを映像表示する映像記録再生装置内蔵テレビであって、電力を供給する電源と、該電源より常時電力を供給される制御部と、該制御部からの制御信号に基づいて、前記テレビ放送を受信する受信部と、前記受信したテレビ放送を映像表示し、また前記映像記録再生装置から再生された前記映像コンテンツを映像表示する表示部と、前記映像記録再生装置に記録された前記映像コンテンツに関わる番組情報を選択して格納する不揮発性記録媒体とを含む受信表示部と、前記制御部からの制御信号に基づいて、前記受信部で受信され選択された前記映像コンテンツを記録し、またこれを再生する記録再生部と、前記制御部からの制御信号に基づいて、前記受信表示部に対する前記電源からの電力供給を制御する第１の電力制御部と、前記制御部からの制御信号に基づいて、前記記録再生部に対する前記電源からの電力供給を制御する第２の電力制御部とを有し、前記制御部は、前記表示部に映像表示する場合には、前記受信表示部に対して前記電源からの電力を供給するよう前記第１の電力制御部を制御し、前記映像記録再生装置から前記映像コンテンツを再生する場合には、前記不揮発性記録媒体に格納した番組情報に基づく前記映像コンテンツのリストを前記表示部に表示し、前記記録再生部に対して前記電源からの電力を供給するよう前記第２の電力制御部を制御し、前記映像コンテンツの再生が終了した場合には、前記記録再生部に対する前記電源からの電力を停止するよう前記第２の電力制御部を制御することを特徴としている。
【０００８】
また本発明は、映像コンテンツと該映像コンテンツに関わる番組情報を含むテレビ放送を受信し、前記映像コンテンツを内蔵する映像記録再生装置に記録し、記録した前記映像コンテンツに関わる番組情報を不揮発性の記録媒体に格納し、また受信した前記テレビ放送を映像表示し、前記映像信号記録再生装置から再生された映像コンテンツを映像表示する映像記録再生装置内蔵テレビの映像再生方法であって、前記テレビのユーザによる第１の指令に応じて、前記記録媒体に記録された番組情報に基づく前記映像記録再生装置の録画済番組のリストを表示する表示ステップと、該表示ステップで表示された前記リストに基づくユーザの第２の指令に応じて、前記映像記録再生装置から再生する映像コンテンツを決定する決定ステップと、前記第１の指令に応じて前記記録再生装置に電力を供給し、これを起動する起動ステップと、前記記録再生装置の起動が完了したか否かを判定する起動完了判定ステップと、該判定ステップでの判定結果に基づき、前記第２の指令に応じた映像コンテンツを前記記録再生装置から再生する再生ステップと、該再生ステップでの前記映像コンテンツの再生が終了し、ないし前記ユーザが再生の停止を要求する第３の指令があったかを判定する再生停止判定ステップと、該再生停止判定ステップでの判定の結果、前記映像コンテンツの再生が終了し、ないし前記第３の指令があった場合には前記記録再生装置の再生動作を停止する再生停止ステップと、前記再生停止の後に前記記録再生装置への電力供給を停止する電力供給停止ステップとを有したことを特徴としている。
【発明の効果】
【０００９】
本発明によれば、操作性を損なうことなく電力を低減する映像記録再生装置内蔵テレビ、および映像記録再生装置内蔵テレビの映像再生方法を提供でき、ユーザの使い勝手を重視したうえで、エネルギー資源の有効利用に寄与することができるという効果がある。
【図面の簡単な説明】
【００１０】
【図１】本発明の一実施例を示す映像記録再生装置を含むテレビのブロック図である。
【図２】本発明の別な一実施例を示す映像記録再生装置を含むテレビのブロック図である。
【図３】本発明のさらに別な一実施例を示す映像記録再生装置を含むテレビのブロック図である。
【図４】本発明の一実施例を示す録画番組一覧表の表示を示す図である。
【図５】本発明の一実施例を示す映像記録再生装置の再生方法のフロー図である。
【発明を実施するための形態】
【００１１】
以下、本発明の実施形態について図面を用いながら説明する。
図１は本発明の一実施例を示す映像記録再生装置を含むテレビのブロック図である。１０は電源部であって、テレビのコンセントプラグ（図示せず）に商用電源が与えられていれば、テレビの電源スイッチ（図示せず）が入っているか否かに関わらず、図中にＶで示した電源ラインに電源を供給している。ブロック１と記した１１は制御部であり、今述べたとおりテレビの電源スイッチの状態に関わらず電源が供給されており、装置全体の状態を制御している。ブロック２と記した１２は受信表示部であり、放送を受信して映像を表示する。ここには電源部１０からの電源はスイッチ１０１を介して与えられており、前記電源スイッチが入っていない場合には電源は供給されない。ブロック３と記した１３は記録再生部であり、ユーザの要求に応じて放送を記録し、また録画済のコンテンツを再生する。ここには電源部１０からの電源はスイッチ１０２を介して与えられており、後記するようにスイッチ１０１とは別な方法で電源供給の有無が決められている。なお、スイッチ１０１とスイッチ１０２の制御信号線は、図面の煩雑化を避けるために記入していないが、これらは制御部１１（特にＣＰＵ１１２）からの制御信号で制御されている。
【００１２】
次に全体の動作を説明する。最初はテレビのコンセントプラグに商用電源が与えられているが、前記テレビの電源スイッチは切れているものとする。この状態では前記したとおり、制御部１１にのみ電源部１０からの電源が供給されており、リモコンからの動作指令を受付けられるようにしている。ユーザがテレビの電源スイッチを入れるために、たとえばリモコンを操作して動作指令をリモコン受信部１１１に送ると、これに応じてＣＰＵ（Central Processing Unit）１１２はバス１２８を介して制御信号を送り出し、スイッチ１０１を接続状態にして受信表示部１２に電源部１０から電源を供給する。なお、それ以後必要に応じてスイッチ１０２を接続状態にして記録再生部１３にも電源部１０から電源を供給するが、これについては後に詳しく説明する。
【００１３】
入力端子１２０にはアンテナ（図示せず）からの放送電波が供給され、チューナ部１２１でユーザが望む放送チャネルが選択される。なお、この選択するチャネルは、ユーザがたとえばリモコンを操作することで選択指令をリモコン受信部１１１に送り、これに基づきＣＰＵ１１２がバス１２８を介してチューナ部１２１を制御することで決められる。選択されたチャネルの受信信号は、復調部１２２で伝送のために施された変調方式に応じて復調され、また伝送中に発生した誤りが訂正される。次にデスクランブル部１２３において、放送局で秘匿性を高めるために施された暗号が復号される。
【００１４】
一つの放送チャネルには、たとえば３つの番組（映像コンテンツとも言う）が時分割多重されているが、前記と同様にユーザのたとえばリモコン操作による指令に応じてデマルチプレクサ１２４では、ユーザが望むスロットの映像コンテンツが選択される。選択された映像コンテンツはＭＰＥＧデコーダ１２５において、放送局で施されたＭＰＥＧ（Moving Picture Experts Group）によるデータ圧縮が解除されて伸張され、表示のための三原色信号となって表示部１２６に与えられる。ユーザは表示部１２６に表示された番組を視聴することができる。
【００１５】
なお、図面の煩雑化を避けるために、音声信号の処理回路やスピーカは省略しているが、当然ながら前記映像コンテンツに伴う音声情報も信号処理されてスピーカへ出力される。またＥＰＧを表示する場合には、放送に伴い逐次受信された番組情報を、たとえばフラッシュメモリ１２７へ蓄積したうえで、全てのチャネルの番組情報を時系列で、所定フォーマットの一覧表形式で表示部１２６へ表示する。
【００１６】
このＥＰＧを用いてユーザが特定の番組を録画予約すると、予約時刻が近づいた際に制御部１１はスイッチ１０２を接続状態にし、ＨＤＤ制御部１３２は記録再生部１３が動作できるよう、後記するような初期設定を行う。該当する番組の開始時刻となると記録再生部１３は記録動作を開始する。この際、デマルチプレクサ１２４はＨＤＤ制御部１３２に対して、ユーザが録画予約した番組のみのコンテンツデータと後記する該当番組のみの番組情報を、受信した放送信号から分離して与える。ＨＤＤ制御部１３２はＨＤＤ１３１を制御して、所定のセクタごとにこれらのデータを記録する。番組のコンテンツデータと番組情報は別な領域に記録されるが、番組情報はそのコンテンツデータの記録場所を示す情報を加えて記録される。
【００１７】
記録再生部１３に記録した番組を再生する場合には、ユーザはたとえばリモコンを使って録画番組リストを表示部１２６に表示させる。後記するように録画番組リストは前記番組情報に基づいて作成され、録画済番組ごとに録画した日時、時間長、チャネルなどのほか、番組内容を知らせるサムネール画像が表示される場合もある。ユーザはこれを見て再生する番組を、たとえばリモコンを使って選択する。その際に選択された番組が再生されて表示部１２６に表示されるため、いわゆるタイムシフトによる視聴が可能になる。
【００１８】
次に記録再生部１３における電源の供給方法、すなわちスイッチ１０２の制御方法について詳しく説明する。
従来、テレビの電源スイッチを入れた際には、ユーザから記録ないし再生の指令がなくともスイッチ１０２が接続状態となり、記録再生部１３に電源が供給された。これはユーザの指令が出た段階ですぐに記録ないし再生動作を行えるように、初期設定を行うためである。ＨＤＤ１３１は各セクタ（たとえば５１２バイト単位で構成される）に対して記録、再生、消去の動作が随時できるため、記録済のセクタと未記録ないし消去済のセクタが不規則に混在することになる。未記録ないし消去済のセクタは、ＨＤＤ１３１の有するビットマップデータで管理されている。ユーザがテレビの電源スイッチを入れた際の初期設定において、このビットマップデータを読み出すことで、テレビはＨＤＤ１３１の空いているセクタを把握し、記録動作の開始に備える。また前記した録画済番組の番組情報をフラッシュメモリ１２７へ読み出すことで、再生動作の開始に備える。この初期設定には、たとえばＨＤＤ１３１の容量が２５０ＧＢの場合、３０秒ないし１分程度を要し、その間は記録や再生の動作を行うことはできず、たとえば録画済情報の番組情報に基づく前記録画番組リストさえも見ることはできなかった。
【００１９】
さらにはテレビの電源スイッチが切られるまで、記録再生部１３には電源が接続されたままとなっており、ＨＤＤ制御部１３２はＨＤＤ１３１を回転させているため、電力を消費していた。これは動作の立ち上がりを早めるためである。電力を低減するために記録再生の動作を行っていない場合には、回転数を減らすようにしてはいるが、それでも２〜３Ｗの電力が消費されており、いっそうの消費電力低減が望まれていた。
【００２０】
本発明においては、動作の立ち上がり、特に再生動作の立ち上がりの遅れによって操作性を損なうことなく、消費電流を低減することに特徴がある。
このために、まず前記した録画済番組の番組情報をＨＤＤ１３１に格納するのではなく、最初から不揮発性メモリであるフラッシュメモリ１２７に格納する。ユーザが録画済番組の再生をするために録画番組リストを要求した場合には、フラッシュメモリに格納された番組情報を読み出して表示部１２６に表示する。
同時にこの時に初めてスイッチ１０２を接続状態として、記録再生部１３に電源を供給する。ＨＤＤ制御部１３２は前記したビットマップデータを読出し、これに基づきテレビはＨＤＤ１３１の空きセクタを把握する初期設定を行う。
【００２１】
録画番組リストはフラッシュメモリ１２７に格納されたデータに基づいて生成されるため、従来とは異なりテレビの電源を入れた直後であっても、ユーザが要求すればすぐに表示できる。この録画番組リストでユーザが再生する番組を選んでいる間に、前記の初期設定を完了できるため、再生動作の立ち上がりの遅れが問題となることはない。また、記録や消去を行わず再生のみを行う場合には、前記ビットマップデータを用いた初期設定は不要であるので、すぐに再生動作を開始するようにしても良い。
従来とは異なり、記録、再生ないし消去の動作を行わない場合には、スイッチ１０２は切断状態とし、記録再生部１３には電源を供給しない。このため、操作性を損なうことなく消費電流の低減をすることができる。
なお、従来はスイッチ１０１と１０２は一つのスイッチであって、受信表示部１２と記録再生部に対して同時に電源を接続ないし切断していたが、本発明では二つのスイッチであって互いにタイミングが異なることになる。
【００２２】
また、本発明においても録画済の番組情報をフラッシュメモリ１２７のほかに、ＨＤＤ１３１に記録しておいても良い。この場合は、最初フラッシュメモリ１２７からのデータで生成された録画番組リストが、やや遅れてＨＤＤ１３１からのデータで生成された録画番組リストと異なった際に、表示部１２６での表示を後者に切替えるなどの使用方法が考えられる。
【００２３】
なお、記録動作の立ち上がりは遅くなるが、現在はＥＰＧを用いて録画予約する使い方が圧倒的であり、現在視聴中の番組を急遽録画することは少ない。このため録画動作の立ち上がりの遅れによる操作性の劣化は殆ど問題にならない。
【００２４】
次に前記の実施例に対して変更を施した例を、図２と図３を用いて説明する。図２は本発明の別な一実施例を示す映像記録再生装置を含むテレビのブロック図である。図２は図１と比較し、ＨＤＤ制御部１３２が記録再生部１３ではなく受信表示部１２に属している点が異なる。このためＨＤＤ制御部１３２には、テレビの電源が接続されると電源が供給される。これはＨＤＤ制御部１３２による立ち上がりの遅れを排除したものである。図１の記録再生部１３において最も消費電力の大きいＨＤＤ１３１の電源は、図１と同様の供給方法となるため、やはり消費電力低減の効果は大きい。このようにＨＤＤ１３１を除く記録再生部の電源を、受信表示部から与える場合も本発明の範疇にある。
【００２５】
図３は本発明のさらに別な一実施例を示す映像記録再生装置を含むテレビのブロック図である。図３は図１と比較し、スイッチ１０１と１０２が存在せず、代わりに同様に機能するスイッチ１０３と１０４がグランド端子側に設けられた点が異なる。図１のように電源電圧そのものを切断するのではなく、電源は供給したまま、たとえばグランド側で電流を切断する方法でも目的を達せられることは言うまでもない。このほか類似した変更を施した実施例が考えられるが、いずれも本発明の範疇にある。
【００２６】
次に図４を用いて、本発明で表示部１２６に表示される録画済番組のリストにつき説明する。図４は本発明の一実施例を示す録画番組一覧表の表示を示す図である。図中の４は表示画面を示す。
ユーザはこのリストから視聴したい録画済番組をリモコンで選択し、ＨＤＤ１３１から再生して表示させるようにしている。番組情報には録画した日付４１、録画開始した時間４２、録画した時間長４３、放送したチャネル４４、録画モード４５、タイトル４６を含んでおり、このリストに表示される。
【００２７】
このうち録画モード４５は記録再生部１３で使用した録画モードであって、ＴＳ（Transport Stream）は、ＭＰＥＧでデータ圧縮され伝送された状態そのもので記録されたことを示す。ＳＰ（Standard Play）はＤＶＤ（Digital Versatile Disc）の規格におけるＳＰモードに変換して記録されたことを示す。したがい録画モード４５の情報は、記録再生部１３で生成されたものである。
【００２８】
このほかの情報は、元々放送とともに送られた情報であって、放送中の全ての番組情報から録画した番組に関するものを、デマルチプレクサ１２４で選択したものである。
なお、ほかに番組内容を知らせるためのサムネール画像を、コンテンツの画像から１枚選択してデータ量を低減し、嵌め込み表示することも多い。これは当然ながら、元々放送で送られたコンテンツをＨＤＤ制御部１３２で加工して生成したものである。
【００２９】
次に図５を用いて再生時の動作を説明する。図５は本発明の一実施例を示す映像記録再生装置の再生方法のフロー図である。
まず図１においてスイッチ１０１が接続状態にあり、電源１０の電源は制御部１１と受信表示部１２に与えられ、通常のテレビの放送受信と表示部１２６への表示を行っているものとする。
【００３０】
ステップＳ５０１でユーザはリモコンを用いて、制御部１１に図４で示したような録画番組一覧（リスト）の表示を要求する。この要求をリモコン受信部１１１が受付けると、ステップＳ５０２でＣＰＵ１１２は、フラッシュメモリ１２７から記録再生部１３における録画済番組の番組情報、たとえば録画した日付、録画開始時間、時間長、チャネル、録画モード、タイトル、サムネール画像を読出し、たとえば図４で示したように表示部１２６に表示する。
【００３１】
ステップＳ５０３でＣＰＵ１１２はリモコン受信部１１１からの信号に基づき、ユーザが再生する録画済番組を図４の一覧表から選んで決定したか否かを判定する。まだ決定していない場合には（図中のＮ）、再度ステップＳ５０２に戻りユーザの決定を待つ。
【００３２】
既に決定した場合には（図中のＹ）、ステップＳ５０４でＣＰＵ１１２は記録再生部１３のＨＤＤ１３１の初期設定が終了し、立ち上がっているか否かをＨＤＤ制御部１３２に問合せて判定する。まだ立ち上がっていない場合には（図中のＮ）、ステップＳ５０５でＣＰＵ１１２はスイッチ１０２を接続状態にしてＨＤＤ１３１を起動する。さらにステップＳ５０６でＨＤＤ１３１の起動が完了し、動作を開始できると判定できれば（図中のＹ）、ステップＳ５０７で記録再生部１３はＣＰＵ１１２の指令に基づき、ユーザの指定した録画済番組の再生を開始する。
なお、先にステップＳ５０４でＨＤＤ１３１が既に立ち上がっていた場合には（図中のＹ）、同様にステップＳ５０７でユーザの指定した録画済番組の再生を開始する。
【００３３】
次にステップＳ５０８で前記録画済番組の再生が終了し、ないしユーザがリモコンを用いて制御部１１に再生停止を要求した場合には（図中のＹ）、ステップＳ５０９でＣＰＵ１１２は記録再生部１３に指令を送り、再生動作を停止する。
さらにステップＳ５１０で、ＣＰＵ１１２はスイッチ１０２を切断しＨＤＤ１３１をはじめとする記録再生部１３への電源供給を停止して、フローを終了する。
【００３４】
なお、ステップＳ５０６でＨＤＤ１３１の起動が完了していない場合（図中のＮ）には、これが完了する（図中のＹ）まで判定を繰返す。同様にステップＳ５０８で前記録画済番組の再生がまだ終了せず、かつユーザが再生停止を要求しない場合には（図中のＮ）、再生の終了ないし再生停止の要求がある（図中のＹ）まで判定を繰返す。
【００３５】
またスイッチ１０２を接続状態にするのは、前記したようにステップＳ５０５である必要はない。ステップＳ５０１で録画番組一覧（リスト）の表示を要求された際に、スイッチ１０２を接続状態とし、ＨＤＤ１３１を起動しても良い。この場合は、図５のステップＳ５０４とステップＳ５０５は除去され、ステップＳ５０６でＨＤＤ１３１の起動完了を判定すれば良い。
【００３６】
以上のフロー図において、記録再生部１３への電源は再生動作を行う直前に供給され、終了直後に切断される。またユーザが、フラッシュメモリ１２７からのデータに基づき作成された録画番組リストで、再生する録画済番組を選んでいる間にＨＤＤ１３１を立ち上げる。このため操作性を損なうことなく、消費電力を低減したテレビ内蔵映像記録再生装置の再生方法を実現できる効果がある。
【００３７】
なお、以上の実施形態はあくまで一例であり、本発明はこれに限定されるものではない。前記したような図１のブロック図のみならず、図５のフロー図においても様々な変形を加えたさらに多くの実施形態が考えられるが、いずれも本発明の範疇にある。
また、本発明の説明においては、最も利便性を発揮できるテレビに内蔵した映像記録再生装置および再生方法を例にとって説明したが、本発明はＨＤＤレコーダーやＢＤ（Blu-ray Disc）レコーダーといった映像記録再生装置にも適用でき、これも本発明の範疇にある。
【符号の説明】
【００３８】
１０：電源部、１１：制御部、１２：受信表示部、１３：記録再生部、１０１〜１０４：スイッチ、１１２：ＣＰＵ、１２４：デマルチプレクサ、１２５：ＭＰＥＧデコーダ、１２６：表示部、１２７：フラッシュメモリ、１３１：ＨＤＤ，１３２：ＨＤＤ制御部、４：録画番組リスト。
【図１】
2010192051.tif 000003
【図２】
2010192051.tif 000004
【図３】
2010192051.tif 000005
【図４】
2010192051.tif 000006
【図５】
2010192051.tif 000007